(57)【要約】【課題】薄い原稿を読み取る際に発生するシワに対応させて、得られた受光量を補正することにより、適切に原稿が読み取り可能な原稿自動読取装置及びそれを用いた画像形成装置を提供すること。【解決手段】原稿が載置される原稿トレイと、前記原稿を供給する原稿供給手段と、前記原稿の厚さを検知する厚さ検知手段と、前記原稿を照射するための光源を備えた光学ユニットと、前記原稿からの反射光を受光する読取部と、前記原稿を排出する排出手段と、を備えた原稿自動読取装置において、前記厚さ検知手段の結果が所定値以下の場合に、前記読取部の値に対して前記光学ユニットの光軸方向の光量補正を行う制御部を備えることを特徴とする。【選択図】図１
2010187255.tif 000002
【特許請求の範囲】
【請求項１】
原稿が載置される原稿トレイと、前記原稿を供給する原稿供給手段と、前記原稿の厚さを検知する厚さ検知手段と、前記原稿を照射するための光源を備えた光学ユニットと、前記原稿からの反射光を受光する読取部と、前記原稿を排出する排出手段と、を備えた原稿自動読取装置において、
前記厚さ検知手段の結果が所定値以下の場合に、前記読取部の値に対して前記光学ユニットの光軸方向の光量補正を行う制御部を備えることを特徴とする原稿自動読取装置。
【請求項２】
前記制御部による光量補正は、前記原稿供給手段の給紙ローラの位置に対応する部分であることを特徴とする請求項１に記載の原稿自動読取装置。
【請求項３】
前記制御部による光量補正は、予め求めた光源軸方向の光量分布が均一になるように補正することを特徴とする請求項２に記載の原稿自動読取装置。
【請求項４】
請求項１から３のいずれか１つに記載の原稿自動読取装置を備える画像形成装置。
【発明の詳細な説明】
【技術分野】
【０００１】
本発明は、複写機、ファクシミリ、複合機等の画像形成装置に用いられる原稿自動読取装置に関し、詳しくは、薄い原稿を読み取る際の光量補正を行う原稿自動読取装置に関するものである。
【背景技術】
【０００２】
近年、オフィス文書等の文書データの電子化処理や記録媒体への画像形成などのために原稿の画像を読み取る原稿給送型の原稿自動読取装置が利用されている。
【０００３】
従来の原稿自動読取装置は、大きくは、原稿が載置される原稿トレイと、原稿トレイ上に載置された原稿を供給及び排出する原稿搬送手段と、画像を光学的に読み取る読取部と、を含んで構成され、このような原稿自動読取装置では、原稿は、原稿トレイから所定位置に供給された時点で画像が読取部にて読み取られる。
【０００４】
このような原稿画像の読み取りに際し、原稿面からの反射光量がフロント側とリア側とで大きく異なることがある。この異なる原因としては、光源の発光強度（発光量）がフラットではなく、フロント〜リア間とで異なることや、光源と原稿トレイとの距離が微妙に異なることなどが考えられるため、一般的に受光量がフロント〜リア間の光軸方向で均一になるような補正、すなわち光量補正（シェーディング補正という）を行ったのち、実際の原稿読み取りを行うようにしている。
【０００５】
具体的には、ガラス原稿台の近傍に標準板を設けておき、その反射光量を測定し、その強度を記憶した後、その光量がフラットになるように補正をかけている。
【０００６】
光量を補正する方法としては、例えば、特許文献１では、蛍光灯の長手方向に対して複数個配置された光量検出手段、前記光量検出手段により検出された光量を基に光量を一定に制御する手段、原稿面での照度分布を変える手段（液晶シャッター）を有し、前記複数の光量検出手段によって前記蛍光灯の光量分布の検出結果を基に、前記光量分布可変手段により原稿面での光量分布を変えるように制御する画像形成装置が、また特許文献２では、原稿の透過光により感光記録媒体を露光し潜像を形成させる露光手段を有する画像形成装置において、前記原稿の厚さを検出し、その結果に応じて前記露光手段の光量を変化させる画像形成装置が開示されている。
【先行技術文献】
【特許文献】
【０００７】
【特許文献１】特開平６−１９４７５４号公報
【特許文献２】特開平１−２１７３３４号公報
【発明の概要】
【発明が解決しようとする課題】
【０００８】
原稿給送型の原稿自動読取装置としては、あらゆる原稿の厚さに対応して、正常に搬送できるのが装置的にベストであるが、機構上の困難性から、主に使用する原稿厚さを基準に設計しているのが現実であり、薄手の原稿に対しては紙づまりなどの問題から使用を禁止したりしている。
【０００９】
しかしながら、ユーザーはそこまでは原稿の取り扱いには気を使っておらず、原稿の紙厚が特に薄い場合（６０ｇ／ｍ２紙より薄い原稿）には、原稿自体にシワなどが入ることがある。これは、原稿の紙剛性などの強度が弱いことから、給紙ローラの強い押圧力を受けて変形してしまうからである。
【００１０】
すると、得られる反射光量（受光量）が給紙ローラに対応する部分と対応しない部分とで極端な違いが出てしまい（例えば、図７参照）、原稿自動読取装置を使用する場合としない場合とで大きな差が出てしまう。
【００１１】
上述した特許文献１では、特定位置（通常はホームポジション）における光量分布（光量パターン）だけを検知しており、給紙ローラによるシワまでは考慮がされていない。また、特許文献２では、紙厚検出手段を有しているが、透過光をみるもので全体的な光量を制御するものである。したがって、現状では光源の軸方向で均一光量を確保されていても、給送される原稿の厚さが薄いと読み取り誤差を生じてしまうことになる。
【００１２】
本発明の目的は、上記問題点に鑑み、薄い原稿を読み取る際に発生するシワに対応させて、得られた受光量を補正することにより、適切に原稿が読み取り可能な原稿自動読取装置及びそれを用いた画像形成装置を提供することである。
【課題を解決するための手段】
【００１３】
上記課題を解決するために、第１の発明は、原稿が載置される原稿トレイと、前記原稿を供給する原稿供給手段と、前記原稿の厚さを検知する厚さ検知手段と、前記原稿を照射するための光源を備えた光学ユニットと、前記原稿からの反射光を受光する読取部と、前記原稿を排出する排出手段と、を備えた原稿自動読取装置において、
前記厚さ検知手段の結果が所定値以下の場合に、前記読取部の値に対して前記光学ユニットの光軸方向の光量補正を行う制御部を備えることを特徴とする。
【００１４】
この発明にあっては、薄い紙厚の原稿を用いた場合に発生するシワに対応して、光量を補正するため、原稿自動読取装置の機構に起因する光量不均一をなくすことができる。
【００１５】
また上記課題を解決するための第２の発明は、前記制御部による光量補正は、前記原稿供給手段の給紙ローラの位置に対応する部分であることを特徴とする。原稿搬送に対して大きなファクタである給紙ローラ近傍のシワに対応できる。
【００１６】
また上記課題を解決するための第３の発明は、前記制御部による光量補正は、予め求めた光軸方向の光量分布が均一になるように補正することを特徴とする。
【００１７】
この発明にあっては、光軸方向で予測される光量分布ムラに対して均質になるように光源へフィードバックをかけるため、制御が比較的簡単になる。
【００１８】
また上記課題を解決するための本発明は、第１から第３のいずれか１つに記載の発明の原稿自動読取装置を備える画像形成装置であることを特徴とする。
【００１９】
この発明にあっては、薄い紙厚の原稿であっても、光量補正を加味した原稿自動読取装置からの印刷情報を用いて画像形成するため、濃度ムラのない印刷画像を得ることができる。
【発明の効果】
【００２０】
本発明によれば、原稿自動読取装置において、薄い紙厚の原稿を用いた場合に発生するシワに対応して、光量を補正するため、均一な光量出力を得ることができる。よって、原稿にシワがあっても、原稿における微妙な濃淡や色合いを正確に反映した原稿情報を得ることができる。従い、原稿により忠実な画像情報を出力することが可能となる。
【図面の簡単な説明】
【００２１】
【図１】本実施形態の原稿自動読取装置の断面図である。
【図２】本実施形態の原稿自動読取装置の機能構成を説明するための図である。
【図３】本実施形態における厚さテーブルのデータ構成の一例を示す図である。
【図４】本実施形態における光量補正テーブルのデータ構成の一例を示す図である。
【図５】本実施形態における動作フローを示す図である。
【図６】本実施形態における給紙ローラの模式図である。
【図７】本実施形態における薄い原稿を供給した場合のシワを示す図である。
【図８】本実施形態におけるシワのある薄い原稿の受光光量を示す模式図である。
【図９】ＣＩＳ読取ユニットにおける光源の位置を説明するための図である。
【図１０】補正パターンを説明するための図である。
【発明を実施するための形態】
【００２２】
ここで、本発明を適用した原稿自動読取装置１００について、図を用いて詳細に説明する。
［装置構成］
まず、装置構成について説明する。原稿自動読取装置１は、一例として図１に示すように、原稿載置トレイ（原稿載置手段）２、給紙ローラユニット（原稿供給手段）６、原稿さばき手段７、湾曲搬送経路８、ガラス原稿トレイ９、ＣＣＤ（Charge Coupled Device）読取ユニット（ＣＣＤ読取手段）１０、レジスト・斜行補正領域１３、レジストローラ（レジスト手段）１４、ＣＩＳ（密着イメージセンサ）読取ユニット（ＣＩＳ読取手段）１５、排出ローラ１６及び排出トレイ１８を備えている。
【００２３】
原稿載置トレイ２は、原稿Ｐを載置するためのものである。原稿載置トレイ２は、電動トレイ３、レバー４、振り子５及びセンサＳ１を備えている。電動トレイ３は、給紙ローラ６ａへの原稿Ｐの供給をスムースに行うためのものである。電動トレイ３は、レバー４、振り子５及びセンサＳ１によって、原稿載置トレイ２上に原稿Ｐが載置されると、原稿Ｐを載せたまま上昇して給紙ローラ６ａへの原稿Ｐの供給をスムースに行うようになっている。この動作の詳しい説明については後述する。
【００２４】
給紙ローラ６ａは、原稿載置トレイ２に載置された原稿Ｐを１枚ずつ取り出して湾曲搬送経路８に供給するためのものである。
【００２５】
原稿さばき手段７は、給紙ローラ６ａから供給される原稿Ｐを、確実に一枚ずつ湾曲搬送経路８に送り出すためのものである。
【００２６】
湾曲搬送経路８は、原稿載置トレイ２から排出トレイ１８まで原稿Ｐを搬送する経路をコンパクトにするために設けられる原稿の搬送路である。湾曲搬送経路８は、原稿Ｐを搬送するための送りローラＲ１〜Ｒ３を備えている。また、本湾曲搬送経路８は、送りローラＲ１から送りローラＲ３の位置までが、一定の曲率で湾曲した状態に形成されている。
【００２７】
送りローラＲ１・Ｒ２は、湾曲搬送経路８において原稿Ｐを搬送するためのローラである。送りローラＲ３は、湾曲搬送経路８を介して搬送された原稿Ｐを、レジスト・斜行補正領域１３に送りだして、レジストローラ１４とともにレジスト及び斜行補正を行うためのものである。
【００２８】
レジスト・斜行補正領域１３は、送りローラＲ３とレジストローラ１４との間で、原稿Ｐのレジスト及び斜行補正を行うために設けた領域である。
【００２９】
レジストローラ１４は、送りローラＲ３からレジスト・斜行補正領域１３を介して送り出された原稿Ｐの先端を捕捉して停止させ、所定のタイミングで読取位置Ａ１・Ｂへと送り出すためのものである。
【００３０】
ガラス原稿トレイ９は、図示しない例えばブック原稿をその上に載置して、ＣＣＤ読取ユニット１０によって画像を読み取る際の台である。
【００３１】
ＣＣＤ読取ユニット１０及びＣＩＳ読取ユニット１５は、原稿Ｐを読み取る画像読取手段として機能する。ＣＣＤ読取ユニット１０は、光学ユニット（露光走査装置）１１及びＣＣＤ（Charge Coupled Device）１２からなる。
【００３２】
ＣＣＤ読取ユニット１０は、例えば読取位置Ａ１の画像を光学ユニット１１を用いて縮小してＣＣＤ１２に結像させて、原稿Ｐの一面を読み取るようになっている。この場合、ＣＣＤ読取ユニット１０は、読取位置Ａ１において光学ユニット１１を固定させたまま、搬送されている原稿Ｐを読み取る。
【００３３】
また、ＣＣＤ読取ユニット１０は、ガラス原稿トレイ９に載置した図示しない原稿に対して、光学ユニット１１を読取位置Ａ１から読取位置Ａ２・Ａ３まで移動させて原稿を読み取ることもできる。
【００３４】
一方、ＣＩＳ読取ユニット１５は、読取位置Ｂにおいて、搬送されている原稿Ｐの上記とは異なる一面を、原稿Ｐと同じ幅を持つ図示しないリニアＣＣＤを用いて読み取るようになっている。
【００３５】
ＣＩＳ読取ユニット１５の読取位置Ｂは、ＣＣＤ読取ユニット１０の読取位置Ａ１〜Ａ３の占める領域の外側となっている。この構成によれば、例えばＣＩＳ読取ユニット１５の読取位置ＢがＣＣＤ読取ユニット１０の読取位置Ａ１〜Ａ３の占める領域の内部にある場合と比較して、ガラス原稿トレイ９に載置した図示しない原稿を読み取る際に、光学ユニット１１を余分に移動させる手間を省くことができる。
【００３６】
排出ローラ１６は、原稿Ｐを排出トレイ１８に排出するためのものである。排出トレイ１８は、搬送されて画像が読み取られた原稿Ｐを排出して載置するためのものである。
【００３７】
上記構成において、原稿自動読取装置１は、以下のように原稿Ｐの読取動作を行う。原稿載置トレイ２上に原稿Ｐが載置されると、振り子５の先端が原稿Ｐによって上記の載置面下に押し込まれる。センサＳ１によって振り子５の移動が検知され、これによって、原稿載置トレイ２上に原稿Ｐが載置されたと判断される。すると、所定のタイミングで、レバー４が降下し、それとともに電動トレイ３が上昇する。
【００３８】
電動トレイ３は、原稿載置トレイ２の上面にセットされた原稿Ｐの束の最上面が給紙ローラ６ａに接触し、給紙ローラ６ａへの原稿Ｐの供給がスムースに行える位置で停止するようになっている。すなわち、給紙ローラ６ａに備えられたセンサＳ２を用いて、原稿Ｐの束の最上面による給紙ローラ６ａへの押圧が検出され、これにより所定の押圧状態で電動トレイ３が停止するようになっている。
【００３９】
この状態において図示しないスイッチにより原稿Ｐの読み込み開始信号が入力されると、給紙ローラ６ａは回転駆動して、原稿Ｐを１枚ずつ湾曲搬送経路８に順次供給する。
【００４０】
なお、電動トレイ３が上昇して所定の位置で停止した後に、一定時間にわたって上記した原稿Ｐの読み込み開始信号が入力されなかった場合には、電動トレイ３は所定のレベルまで降下する。
【００４１】
給紙ローラ６ａから供給された原稿Ｐは、原稿さばき手段７において、確実に１枚ずつに分離されて、湾曲搬送経路８へと送りだされる。もし給紙ローラ６ａによって複数枚の原稿が供給された場合であっても、原稿さばき手段７によって、原稿載置トレイ２上において最も上に位置していた原稿Ｐの１枚のみを確実に送り出すことができる。
【００４２】
原稿さばき手段７によって分離された１枚の原稿Ｐは、さらにセンサＳ３において、１枚ずつであることが確認される。そして、原稿Ｐは、送りローラＲ１によって湾曲搬送経路８に導かれる。
【００４３】
この湾曲搬送経路８は、通常原稿載置トレイ２にセットされうる原稿Ｐを、安定して搬送できるように、搬送中の原稿Ｐが所定の範囲の曲率となるように設計されている。例えば、こしのある厚紙の原稿Ｐを用いる場合には、湾曲搬送経路８を搬送中の原稿Ｐは緩やかな曲率となっている。
【００４４】
湾曲搬送経路８においては、さらに送りローラＲ２によって原稿Ｐが送り出される。湾曲搬送経路８の出口付近においては、センサＳ４によって、湾曲搬送経路８を経由した原稿Ｐの搬送状態を検出し、原稿Ｐが問題なく搬送されてきたかどうか確認する。
【００４５】
そして、送りローラＲ３によって、レジスト・斜行補正領域１３に原稿Ｐを送り出す。原稿Ｐの先端がレジスト・斜行補正領域１３を通過し、レジストローラ１４手前に配置されたセンサＳ５によってその先端部分が検出されると、レジストローラ１４を停止させたままの状態でさらに送りローラＲ３によって原稿Ｐが送り出される。これにより、所定の時間にわたって、レジスト・斜行補正領域１３において、レジスト及び斜行の補正が行われる。
【００４６】
このレジスト・斜行補正領域１３は、上述のレジスト及び斜行の補正が行われる際に、送りローラＲ３とレジストローラ１４との間において原稿Ｐがほぼ直線状となり、レジスト・斜行補正領域１３の上下に設けられたガイド面に原稿Ｐが接触しないような状態となるように設計されている。
【００４７】
これにより、例えばこしのある厚手の原稿Ｐを搬送する場合においても、原稿Ｐをレジスト・斜行補正領域１３の上下のガイド面に接触させずに、ガイド面との摩擦を生じさせることなく確実にレジスト及び斜行の補正を行うことができる。
【００４８】
また、レジスト・斜行補正領域１３の原稿Ｐの搬送方向にわたる長さ、すなわち送りローラＲ３とレジストローラ１４と間の距離は、本実施形態の原稿自動読取装置１において原稿Ｐとして使用可能な原稿のうち、最もサイズの小さい原稿Ｐを考慮して設定されている。すなわち、最もサイズの小さい原稿Ｐが通過する際の長さよりは小さいように設定されており、これにより確実に搬送を行えるようになっている。ただし、送りローラＲ３とレジストローラ１４と間の距離をできるだけ長くとって、レジスト補正する際にレジスト・斜行補正領域１３に送り込まれる原稿Ｐの領域をできるだけ広くすれば、送りローラＲ３の後方におけるレジスト及び斜行補正が行われない原稿Ｐの領域を減らすことができる。
【００４９】
そして、レジスト及び斜行の補正が行われると、所定のタイミングでレジストローラ１４が回転して、原稿Ｐを読取位置Ａ１へと送り出すようになっている。
【００５０】
読取位置Ａ１においては、ＣＣＤ読取ユニット１０によって、搬送されている原稿Ｐの一面が読み取られる。読取位置Ａ１には図示しないガイド（第１ガイド部材）が形成されており、搬送される原稿Ｐは第１ガイド部材によって案内される範囲内を通過するようになっている。
【００５１】
ここで、ＣＣＤ読取ユニット１０は、比較的焦点深度の補償範囲が広くなっている。また、この第１ガイド部材は、搬送される原稿が確実にＣＣＤ読取ユニットの焦点深度の範囲内となるように設けられている。このため、例えばレジストローラ１４から搬送される原稿Ｐのこしがつよく、原稿Ｐ上の読取位置Ａ１が高くなっても、又は例えば原稿Ｐの紙厚がうすく、原稿Ｐ上の読取位置Ａ１が低くなっても、読取位置Ａ１において原稿を確実に読み取ることができる。
【００５２】
レジストローラ１４が原稿Ｐをさらに送り出すことによって、原稿Ｐは読取位置Ｂを通過する。読取位置Ｂにおいては、搬送されている原稿Ｐの、上述の一面とは逆の一面が読み取られる。読取位置Ｂにはガイド（第２ガイド部材）が形成されており、搬送される原稿Ｐは第２ガイド部材によって案内される範囲内を通過するようになっている。
【００５３】
ここで、ＣＩＳ読取ユニット１５は、比較的焦点深度の補償範囲が狭くなっている。このため、レジストローラ１４から搬送されている原稿Ｐのたわみがすくない、レジストローラ１４から離れた読取位置Ｂにおいて、原稿Ｐを確実に読み取ることができる。
【００５４】
また、第２ガイド部材は、ＣＩＳ読取ユニット１５の原稿読取面とほぼ平行に設けられている。また、第２ガイド部材は、搬送される原稿ＰがＣＩＳ読取ユニット１５の焦点深度の範囲内となるように設計されている。これにより、原稿Ｐの読取を確実にできる。また、読取の途中で原稿Ｐを折り曲げる虞れを無くすことができる。
【００５５】
上述のように読取が行われた原稿Ｐは、排出ローラ１６によって、原稿排出点１７よりも低い位置にあり、原稿自動読取装置１本体の側面に形成された排出トレイ１８へと排出される。センサＳ６によって、原稿Ｐが排出されたか否かが確認される。
【００５６】
原稿自動読取装置１は、以上に説明した動作によって、原稿Ｐを原稿載置トレイ２から湾曲搬送経路８を介して読取位置Ａ１・Ｂに導き、その後に排出トレイ１８に排出する。
【００５７】
以上の動作が、原稿載置トレイ２上にセットされた原稿Ｐがなくなるまで繰り返される。読み取りが完了した原稿Ｐはすべて排出トレイ１８上に順次排出される。
【００５８】
ここで、排出トレイ１８は、上述のように原稿自動読取装置１の側面に形成され、また、原稿載置トレイ２よりも側面に突出して形成されている。このため、排出トレイ１８に排出された原稿Ｐは、原稿載置トレイ２が妨げとなることなく、簡単に目視によって確認できる。また、排出トレイ１８から、処理後の原稿Ｐを取り出す操作も簡単に行える。
【００５９】
［機能構成］
つづいて、原稿自動読取装置１の機能構成について図２を用いて説明する。図２に示すように、原稿自動読取装置１は、制御部１００に、画像読取部２００と、厚さ検出部３００と、光量調整部４００と、記憶部５００と、入出力Ｉ／Ｆ部６００とがバスを介して接続されている。
【００６０】
制御部１００は、原稿自動読取装置１の各種動作及び制御を行う機能部である。記憶部５００に記憶されている各種プログラムを読み出し、実行することにより各処理を実現することとなる。制御部１００は、例えば、ＣＰＵ（Central Processing Unit）等から構成されている。
【００６１】
画像読取部２００は、原稿台に載置された原稿Ｐを読み取るための機能部である。ここで、画像読取部２００は、上述したＣＣＤ読取ユニット１０、光学ユニット１１、ＣＩＳ読取ユニット１５等から構成される。
【００６２】
厚さ検出部３００は、原稿Ｐの厚さを検出する機能部である。例えば、高精度のレーザーを用い、原稿搬送台表面と原稿Ｐとの段差より、原稿Ｐの厚さを求めることができる。具体的なセンサとして、ダブルスキャン高精度レーザー測定器ＬＴ９０１０Ｍ（株式会社キーエンス社製）を例示することができ、０．１μｍオーダーの段差を瞬時に測定することができる。
【００６３】
光量調整部４００は、制御部１００からの制御により、光学ユニット１１から出射される光量を調整する機能部である。ここで、調整する量としては、記憶部５００に記憶されている光量補正テーブル５２０を参照して決定される。
【００６４】
記憶部５００は、原稿自動読取装置１を動作させる為の各種データやプログラムなどを記憶している機能部である。制御部１００は、記憶部５００に記憶されている制御プログラムを読み出して実行することにより、制御処理を実行する。ここで、記憶部５００は、ＲＯＭやＲＡＭ、ＨＤＤ等の記憶装置から構成されている。また、記憶部５００は、厚さテーブル５１０と、光量補正テーブル５２０とを記憶している。
【００６５】
厚さテーブル５１０は、厚さ検出部３００が厚さを検出するときに用いられるテーブルである。厚さテーブル５１０の一例を図３に示す。厚さテーブル５１０は、測定器（段差センサ）出力値（例えば、「５．０」Ｖ）と、厚さ（例えば、「５０」μｍ）とを対応づけて記憶しているテーブルである。
【００６６】
光量補正テーブル５２０は光量調整部４００が、光学ユニット１１から出射される光の光量を調整する場合に参照されるテーブルである。図４に示すように、光量補正テーブル５２０は、原稿厚さ（μｍ）（例えば、「４０」μｍ）と、印加入力電圧補正パターン（例えば「Ｄ」）とを対応づけて記憶しているテーブルである。補正パターンに基づいて、光量調整部は光源の光量を調整することとなる。
【００６７】
入出力Ｉ／Ｆ部６００は、原稿自動読取装置１と外部装置とを接続するためのインタフェースである。例えば、画像形成装置と接続することにより、画像形成装置の画像読取手段として機能することとなる。
【００６８】
［処理例］
つづいて、原稿自動読取装置１の処理の流れについて、図５の動作フローを用いて説明する。
【００６９】
まず、制御部１００は、原稿の給紙が確認される（ステップＳ１０）と、上述した測定器にて原稿の厚さが検出される（ステップＳ１２）。そのときの厚さは、厚さテーブル５１０により判断される。その厚さに対し、光量補正テーブル５２０に基づいて、光源の光量補正が必要かどうかの判断がなされる（ステップＳ１４）。もし、光量補正が必要ならば（ステップＳ１４；Ｙｅｓ）、光量の補正パターンによる補正を行いつつ、原稿の読み取りを行う（ステップＳ１６→ステップＳ２０）。その後、原稿が排出されて（ステップＳ２２）終了するように制御する。他方、ステップＳ１４で、光量の補正が必要でない厚さであると判定されると（ステップＳ１４；Ｎｏ）、光量補正を行わずに原稿の読み取りを行い（ステップＳ１８→ステップＳ２０）、原稿が排出する（ステップＳ２２）ように制御する。
【００７０】
［動作例］
ここで、原稿自動読取装置１の動作例について説明する。図６は、給紙ローラユニット（原稿供給手段）６の給紙ローラ側を模式的に示したものである。給紙ローラ６ａは４つあり、軸６ｂに固定されている。
【００７１】
そのような給紙ローラユニット６に薄い原稿を給紙すると、給紙ローラ６ａに対応する部分での力が大きく付加されるため、排出された原稿をみると、図３に示すように給紙ローラ６ａの近傍にシワ（図７の斜線部）が発生している。
【００７２】
このようになった原稿を原稿ガラス面において反射光量を測定すると、図８に示すような光量パターンが得られる。すなわち、給紙ローラ６ａに一致する部分（破線で示される部分）で光量が低下している。
【００７３】
原稿の厚さで発生する原稿シワの程度で検出される光量不均一を予め記憶されている（図８）。その光量不均一を補正するために光源に印加する入力電圧のプロファイルを規定したパターンテーブルをシワに程度に応じて何種類か準備しておく。実際に測定された原稿の厚さに対して、制御部（不図示）では光量が均一になるようなパターンを選択することで補正をかけるようにする。この補正パターンでは、図８で得られる光軸方向での光量パターンがフラットになるように、すなわち光量が強い部分は弱く、逆に光量が弱い部分では強くするようにしている。
【００７４】
ここで、補正パターンについて具体的に説明する。図９は、ＣＩＳ読取ユニット１５について記載した図である。ＣＩＳ読取ユニットには光源（例えば、ＬＥＤ）が複数内蔵されており、当該光源が発光し、原稿に反射された光を受光することにより、原稿を読み取る動作を行う。
【００７５】
本実施形態におけるＣＩＳ読取ユニット１５には、光源Ａ〜光源Ｉが配設されており、独立して光量を補正することができる。すなわち、光量調整部４００により各光源に対して発光量を補正する。
【００７６】
図１０は、補正パターンに基づいた各光源に係る電圧を示しているテーブルである。例えば、補正パターンＡの場合、光源Ａには「３．０」Ｖ、光源Ｂには「３．１」Ｖといった電圧を印加することにより光量を調整する。
【００７７】
また、図９及び図１０によれば、給紙ローラ６ａに対応する位置の光源（光源Ｂ、光源Ｄ、光源Ｆ、光源Ｈ）の光量が補正されることとなる。これにより、給紙ローラ６ａの近傍に発生するしわに影響されることなく、原稿Ｐを読み取ることが可能となる。
【００７８】
以上、この発明の実施形態について図面を参照して詳述してきたが、具体的な構成はこの実施形態に限られるものではなく、この発明の要旨を逸脱しない範囲の設計等も特許請求の範囲に含まれる。
【００７９】
なお、上述した実施形態においては、ＣＩＳ読取ユニット１５において、搬送された原稿を読み取ることとして説明したが、ＣＣＤ読取ユニット１０において読み取ることとしても良い。この場合、原稿ＰがＡ１の位置を通過するときに、ＣＣＤ読取ユニット１０が原稿Ｐを読み取ることとなる。すなわち、ＣＩＳ読取ユニット１５が備えられてない原稿自動読取装置においても適用可能なことは勿論である。
【実施例１】
【００８０】
本発明を適用した原稿自動読取装置を搭載した画像形成装置として、例えば、デジタル複合機ＭＸ−Ｍ８６０（商品名、シャープ株式会社製）を用いて、４５ｇ／ｍ２の全面ハーフトーン原稿の画像評価を行った。ハーフトーンの濃度としては、光学反射濃度で０．３５のものを用いた。
【００８１】
最終印刷物の全面画像濃度をＸ−Ｒｉｔｅ９３９（エックスライト社製）を用いて、給紙ローラ６ａに対応する領域５０個所と対応しない領域５０個所の濃度バラツキを測定したところ、０．３４〜０．３６で誤差は０．２の範囲内に収まり、目視上でも濃淡ムラは見られなかった。
【００８２】
ところが、本制御を行わない従来の光量補正のまま場合には、シワ部分の濃度が高く、０．３４〜０．３９と誤差が大きくなり、目視でも濃淡を確認することができた。
【符号の説明】
【００８３】
１  原稿自動読取装置
２  原稿トレイ
６  給紙ローラユニット
６ａ  給紙ローラ
１０  読取ユニット
１１  光学ユニット
１２  読取部（ＣＣＤ）
２０  厚さ検知手段
１００  制御部
２００  画像読取部
３００  厚さ検出部
４００  光量調整部
５００  記憶部
５１０  厚さテーブル
５２０  光量補正テーブル
６００  入出力Ｉ／Ｆ部
【図１】
2010187255.tif 000003
【図２】
2010187255.tif 000004
【図３】
2010187255.tif 000005
【図４】
2010187255.tif 000006
【図５】
2010187255.tif 000007
【図６】
2010187255.tif 000008
【図７】
2010187255.tif 000009
【図８】
2010187255.tif 000010
【図９】
2010187255.tif 000011
【図１０】
2010187255.tif 000012